(57)【要約】【課題】何らかの異常により通信が切断された後、その異常切断にかかる通信端末同士で再発呼が行われた場合に、既存の携帯通信網などのインフラストラクチャに手を加えることなく、迅速且つ確実に再発呼による通信を可能とする。【解決手段】時間計測部３５は、通話切断後から所定の設定時間の計測を開始する。メモリ１８は、通話切断時の相手先電話番号を保持する。番号判定部３３は、操作部１４を介してユーザから電話番号の入力を伴った発呼の指示がなされたとき、通話切断時の電話番号と新たに入力された電話番号とが同一か否か判定する。それら電話番号が同一であったとき、発着呼制御部３２は、所定の設定時間の経過後に、その電話番号への発呼を行う。【選択図】      図１
2004247806.tif 000002
【特許請求の範囲】
【請求項１】
通信切断後から所定の設定時間の計測を開始する時間計測部と、
上記通信切断時の相手先通信装置を特定するための第１の相手先特定情報を保持する情報保持部と、
第２の相手先特定情報を伴った発信指示の入力を受け付ける発信入力受付部と、
上記第１の相手先特定情報と上記第２の相手先特定情報とが同一か否か判定する特定情報判定部と、
上記特定情報判定部にて上記第１の相手先特定情報と第２の相手先特定情報とが同一であると判定されたとき、上記時間計測部にて上記所定の設定時間が経過したと計測された際に、当該相手先特定情報に応じた相手先通信装置への通信接続要求を発信する通信制御部とを有する
ことを特徴とする通信端末。
【請求項２】
請求項１記載の通信端末であって、
上記通信制御部は、上記通信接続要求に応じた接続が確立しなかったとき、再度、上記所定の設定時間の経過後に、上記相手先特定情報に応じた相手先通信装置への通信接続要求の発信を行うことを特徴とする通信装置。
【請求項３】
請求項１記載の通信端末であって、
上記時間計測部は、上記所定の設定時間を、上記通信切断後からの第１の設定時間と、上記発信指示がなされた時からの第２の設定時間とに分けて計測を行い、
上記特定情報判定部は、上記発信指示の入力が第１の設定時間内に行われたときに、上記第１の相手先特定情報と上記第２の相手先特定情報とが同一か否かの判定を行い、
上記通信制御部は、上記特定情報判定部にて上記第１の相手先特定情報と第２の相手先特定情報とが同一であると判定されたとき、上記第２の設定時間の経過後に、上記相手先特定情報に応じた相手先通信装置への通信接続要求の発信を行うことを特徴とする通信端末。
【請求項４】
請求項１記載の通信端末であって、
上記通信切断が正規の処理により終了した正常終了か否かを判定する終了判定部と、
当該通信端末の状態が通信可能な状態か否か判定する状態判定部とを有し、
上記通信制御部は、上記状態判定部にて正常終了以外での終了であると判定され且つ当該通信端末が通信可能な状態になったと判定されたとき、上記相手先特定情報に応じた相手先通信装置への通信接続要求の発信を行うことを特徴とする通信端末。
【請求項５】
請求項１記載の通信端末であって、
ユーザが認識可能な所定の物理的駆動状態で動作する報知手段と、
上記通信制御部にて通信接続要求に応じた接続が確立したと検知された時に、上記所定の報知手段を動作させる報知手段制御部とを有することを特徴とする通信端末。
【請求項６】
請求項１記載の通信端末であって、
上記通信制御部は、上記特定情報判定部にて上記第１の相手先特定情報と第２の相手先特定情報とが異なると判定されたとき、上記第２の相手先特定情報に応じた相手先通信装置への通信接続要求の発信を直ちに行うことを特徴とする通信端末。
【発明の詳細な説明】
【０００１】
【発明の属する技術分野】
本発明は、通信途中で回線が切断された時に、その回線切断直前に通信していた相手先端末との間で速やかに通信を再開する際に好適な通信端末に関する。
【０００２】
【従来の技術】
従来より、発呼を行っているときの携帯電話端末の状態は、いわゆる待受け状態と通話状態の中間の状態（以下、非定常状態と表記する）となる。また、携帯電話システムの基地局は、非定常状態となっている携帯電話端末に対しては呼確立要求を発しない仕様となされている。したがって例えば、双方共に待受け状態となっている二つの携帯電話端末Ａ，Ｂからそれぞれ相手方に対して略々同時に発呼が行われた場合、それら二つの携帯電話端末Ａ，Ｂは略々同時に非定常状態に遷移し、またこの時の基地局は非定常状態の携帯電話端末Ａ，Ｂへの呼確立要求を発しないため、それら携帯電話端末Ａ，Ｂは共に通話状態に遷移することができない。また、上述のように携帯電話端末Ａ，Ｂ間で略々同時の発呼が行われて双方とも通話状態に遷移できないとき、各携帯電話端末Ａ，Ｂは、ユーザが通話ボタンを押した瞬間から話中であることを示す音のみを出力する。つまり、各携帯電話端末Ａ，Ｂからは、それぞれ相手方の端末がどのような状況にあるのかを知らせるためのメッセージ、例えば電源が切られているか圏外であることを知らせるためのメッセージ等は出力されない。勿論、この時の携帯電話端末Ａ，Ｂは、基地局からの呼確立要求を受け取っていないため、一般に呼確立要求と共に送られてくる相手方の電話番号通知情報を受け取ることもない。
【０００３】
上述のように二つの携帯電話端末Ａ，Ｂ間でそれぞれ相手方に対して略々同時に発呼が行われることになるのは、殆どの場合、例えば、二つの携帯電話端末Ａ，Ｂ間で通話がなされている時に、何れかの端末に何らかの異常が発生して通話が切断された直後であることが多い。すなわち、通話途中で突然回線が切断されてしまった場合、上記携帯電話端末Ａ，Ｂの各ユーザは、直ぐに相手方との通話を再開しようとすることが多く、その場合に上述した略々同時の発呼が行われることになる。またこの時の携帯電話端末Ａ，Ｂのユーザは、相手方との通話を早く再開しようとするあまり、互いに略々同時の発呼を繰り返してしまうことがあり、この場合の携帯電話端末Ａ，Ｂは、通話できない状態が続いてしまうことになる。
【０００４】
図６には、二つの携帯電話端末１０１Ａ，１０１Ｂ間での通話中に何らかの異常により通話が切断された後、携帯電話端末１０１Ａ，１０１Ｂからの略々同時の発呼により、双方の携帯電話端末１０１Ａ，１０１Ｂが非定常状態となって通話不能になり、その後に通話が再開されるまでのタイムアロー（タイムフローチャート）を示す。なお、図６は、携帯電話端末１０１Ｂ側に異常が発生して通話途中で回線が切断された例を挙げている。
【０００５】
図６において、ステップＳ１００の通話中、二つの携帯電話端末１０１Ａ，１０１Ｂの状態は、それぞれ通話状態２０１ａ，２０１ｂになっている。ここで、ステップＳ１０１において携帯電話端末１０１Ｂが例えば圏外に入るなどして異常終了すると、当該携帯電話端末１０１Ｂの状態は、通話状態２０１ｂから異常状態２０２ｂに遷移し、その後、待受け状態２０３ｂへ遷移する。一方、このときの携帯電話端末１０１Ａと基地局１０２Ａとの間では、ステップＳ１０２として、回線の切断要求の送受信と回線の切断処理とが行われる。そして、当該回線の切断がなされると、携帯電話端末１０１Ａの状態は、上記通話状態２０１ａから待受け状態２０２ａに遷移する。
【０００６】
次に、携帯電話端末１０１Ａ，１０１Ｂの両ユーザが、互いに通話を再開しようとして略々同時に通話ボタンを押したとすると、それら携帯電話端末１０１Ａ，１０１Ｂは、略々同時に非定常状態２０３ａ，２０４ｂに遷移すると共に、ステップＳ１０３，Ｓ１０４として、基地局１０２Ａ，１０２Ｂに対して呼確立要求を送信する。この時の基地局１０２Ａは、ステップＳ１０５として、携帯電話端末１０１Ａが非定常状態２０３ａとなっているため、携帯電話端末１０１Ａに対する呼確立要求を送信しない。同様に、基地局１０２Ｂは、ステップＳ１０６として、携帯電話端末１０１Ｂが非定常状態２０４ｂとなっているため、携帯電話端末１０１Ｂに対する呼確立要求を送信しない。
【０００７】
ここで、それら携帯電話端末１０１Ａ，１０１Ｂ間で通話を再開可能にするためには、一例として、何れか一方の携帯電話端末のユーザが、自ら発呼を行うことなく、相手方携帯電話端末からの発呼を待つなど、ユーザが意識的に通話を再開するための手段を実行すればよいことになる。すなわち、図６において、携帯電話端末１０１Ａ，１０１Ｂのユーザは、意識的に自ら発呼を行わないようにすることで各々の携帯電話端末１０１Ａ，１０１Ｂを待受け状態２０４ａ，２０５ｂとし、互いに相手方の携帯電話端末からの呼確立要求を待てば良い。
【０００８】
この状態のとき、ステップＳ１０７のように、例えば携帯電話端末１０１Ｂから呼確立要求が発せられれば、当該携帯電話端末１０１Ｂのみが非定常状態２０６ｂとなり、待受け状態２０４ａのままの携帯電話端末１０１Ａに対しては、基地局１０２ＡからステップＳ１０８により呼確立要求が発せられることになる。基地局１０２Ａから呼確立要求を受け取った携帯電話端末１０１Ａは、呼処理状態２０５ａに遷移し、ステップＳ１０９において基地局１０２Ａとの間で呼処理を行う。また、携帯電話端末１０１Ｂは、ステップＳ１１０において基地局１０２Ｂとの間で呼処理が開始されると、呼処理状態２０７ｂに遷移する。その後、これら携帯電話端末１０１Ａ，１０１Ｂは、呼処理が終了すると、ステップＳ１１１において通話状態２０６ａ，２０８ｂに遷移し、通話が可能となる。
【０００９】
ところで、従来より、二つの携帯電話端末の何れかの端末に異常が発生して通話が切断されたときに、それら二つの携帯電話端末からの再発呼に対してスロットを確保しておくことで、即座に通話を再開可能とするための基地局に関する技術が知られている（例えば特許文献１参照）。
【００１０】
すなわち、この基地局は、移動機（携帯電話端末）の通話中に例えばエア上の問題による異常切断があったとき、内部のタイマを起動すると共に、そのタイマにより設定された時間だけスロットを確保しておき、当該タイマの設定時間内に上記異常切断にかかる移動機から再発呼があった場合には、上記確保しておいたスロットを用いて通話を再開可能とする機能（異常切断時再発呼用スロット確保機能）を備えている。
【００１１】
【特許文献１】
特開平７−３０９４３号公報（第２図）
【００１２】
【発明が解決しようとする課題】
以上説明したように、二つの携帯電話端末間で略々同時に相手方への発呼が行われて双方が略々同時に非定常状態になることにより、それら携帯電話端末が共に通話状態へ遷移できない状況が発生した場合、その状況の解決方法として、従来は、何れか一方の携帯電話端末のユーザが相手方携帯電話端末からの発呼を待つなど、ユーザが意識的に通話を再開するための方策をとらなければならない。しかしながらこの場合、双方の携帯電話端末のユーザが互いに相手方携帯電話端末からの発呼を待ってしまうことも多々あり、その場合は双方のユーザともに無駄な待ち時間を過ごさねばならなくなる。勿論、そのような方策を執らず、双方の端末のユーザが互いに略々同時の発呼を繰り返してしまうと、互いに通話できない状態が続いてしまうことになる。また、双方の携帯電話端末が略々同時に非定常状態になった場合、各端末は互いに相手方の端末の状況を知らせるためのメッセージを受け取れないため、各ユーザは、相手方の端末がどのような状況にあるのかを認識できない。さらに、双方の携帯電話端末が略々同時に非定常状態になった場合、各端末は、電話番号通知情報を受け取ることがないため、自己の携帯電話端末へ発呼している相手方端末が、回線切断の直前に通話していたユーザの端末であるのか、或いは全く別のユーザの端末であるのかを知るすべがない。
【００１３】
一方、上述したように、基地局側に前記異常切断時再発呼用スロット確保機能を持たせれば、何らかの異常により通話が切断された直後に、当該異常切断にかかる携帯電話端末から再発呼があった場合には、それら携帯電話端末間の通話を確保できる。しかしながら、基地局側に上記異常切断時再発呼用スロット確保機能を持たせるには、携帯電話網を形成する全ての基地局にその機能を追加しなければならず、非常にコストがかかり、また工事期間も相当長い期間が必要となり、非現実的と言わざるを得ない。
【００１４】
本発明は、このような課題に鑑みてなされたものであり、例えば何らかの異常により通信が切断された後、その異常切断にかかる通信端末同士で再発呼が行われた場合に、迅速且つ確実に再発呼による通信を可能とし、また、既存の携帯通信網などのインフラストラクチャに手を加えるような高コスト且つ大規模な工事を必要としない、通信端末を提供することを目的とする。
【００１５】
【課題を解決するための手段】
本発明は、通信切断後から所定の設定時間の計測を開始し、新たに相手先特定情報を伴った発信指示の入力を受け付けた時には、その入力された相手先特定情報と通信切断時の相手先特定情報とを比較し、両相手先特定情報が同一であるとき、上記所定の設定時間の経過後に、その相手先特定情報に応じた相手先通信装置への通信接続要求を発信する。
【００１６】
本発明によれば、通信切断後に同一の相手先への通信を再開する際に、所定の設定時間を待ってから通信接続要求を発信することにより、二つの通信端末間の略々同時発信による通信不能状態の時間を短縮する。
【００１７】
【発明の実施の形態】
本発明の好ましい実施の形態について、図面を参照しながら説明する。
【００１８】
図１は、本発明の通信端末の一実施の形態である携帯電話端末の概略構成例を示す。
【００１９】
本実施の形態の携帯電話端末は、アンテナ１１、送受信処理回路１２、操作部１４、ディスプレイ２２、ＣＰＵ（中央処理ユニット）１３、マイクロホン２０、通話音声用スピーカ２１、着信音用スピーカ１９、ＬＥＤ（発光ダイオード）１７、バイブレータ１６、メモリ１８、タイマ１５等を有して構成されている。なお、この図１に示す各構成要素は、本実施の形態の携帯電話端末の主要なもののみ示しており、一般の携帯電話端末が備えている他の構成については図示を省略している。
【００２０】
上記アンテナ１１は、携帯電話網の基地局との間で通信を行うために電波の送受信を行う。送受信処理回路１２は、アンテナ１１を介して上記基地局との間で送受信される信号の変復調や拡散，逆拡散、誤り訂正、周波数変換等の処理を行う。操作部１４は、文字や数字，記号等を入力するためのキーやジョグダイヤル、通話ボタン（通話，発信の開始をユーザが指示するためのボタン）、電源オン／オフや通話終了のためのボタン、キャンセルボタンなどの各種ボタンからなる。ディスプレイ２２は、電話番号、電子メール等の文字や記号の他、イラストや写真の画像等を表示するための液晶表示装置等からなる。マイクロホン２０は、主に通話時のユーザ音声を電気信号に変換してＣＰＵ１３へ送る。通話音声用スピーカ２１は、相手端末から送られてきた通話音声信号を音声に変換して出力する。着信音用スピーカ１９やＬＥＤ１７，バイブレータ１６は、着信等をユーザに知らせるために設けられている。メモリ１８は、様々なデフォルトデータやプログラム、登録された電話番号情報、発着信された電話番号履歴データ、電子メールアドレス，電子メールデータ、ユーザにより設定されたデータ、各種のアプリケーションプログラム等を記憶する。タイマ１５は、年月日時間の情報を生成する等のいわゆる時計機能の他、ユーザにより設定された時間をカウント（計測）する機能も有する。
【００２１】
ＣＰＵ１３は、メモリ１８に記憶されているプログラムを実行することにより、例えば着信音用スピーカ１９やＬＥＤ１７，バイブレータ１６等の各部の動作や端末の状態を制御したり各種の演算処理等を行うための制御・演算部３６として動作する他、後述する正常終了判定部３１，発着呼制御部３２，番号判定部３３，端末状態判定部３４，時間計測部３５としても動作する。なお、本実施の形態の場合は、正常終了判定部３１，発着呼制御部３２，番号判定部３３，端末状態判定部３４，時間計測部３５，制御・演算部３６にて行われる処理は、ＣＰＵ１３がプログラムに基づいて実行する例を挙げているが、勿論、それら各部での処理は論理回路等のハードウェア（正常終了判定手段，発着呼制御手段，番号判定手段，端末状態判定手段，時間計測手段，制御・演算手段）により実装されていても良い。
【００２２】
図２は、本発明にかかる機能を備えた携帯電話端末が発呼から通話までの間に行う処理のフローチャートを示している。なお、着呼時や電子メールの送受信時の処理、その他ユーザによる様々な入力時の処理についてはここでは説明を省略する。また、図２のフローチャートは、ＣＰＵ１３内の正常終了判定部３１，発着呼制御部３２，番号判定部３３，端末状態判定部３４，時間計測部３５，制御・演算部３６による動作として説明しているが、それら各部の処理がハードウェアにより構成されているときには当該ハードウェアによりこのフローチャートの動作が実現される。
【００２３】
この図２において、待受け状態のときのＣＰＵ１３の制御・演算部３６は、少なくともユーザによる操作部１４の操作状況を観察しており、ステップＳ１にて例えばユーザにより何れかの電話番号の入力とその後の通話ボタンのオン操作がなされると、当該入力された電話番号の情報を番号判定部３３へ渡す。なお、ここでの電話番号の入力は、ユーザがテンキーを操作することによる数字の直接入力の他、メモリ１８内に登録されている電話帳からの電話番号の読み出し入力、着信履歴や発信履歴からの呼び出しによる入力等の何れであっても良い。
【００２４】
制御・演算部３６から電話番号の情報を受け取った番号判定部３３は、ステップＳ２の処理として、メモリ１８内に保存されている着信履歴や発信履歴から前回の通話時の電話番号を読み出し、当該前回通話時の電話番号と、上記入力された電話番号とが同じであるか否かを判定する。なお、前回の通話とは、実際にユーザ間での通話が行われたか否かは問わず、その電話番号の相手先携帯電話端末と一瞬でも回線が接続されていれば良い。そして、番号判定部３３は、入力された電話番号が前回通話時の電話番号とは異なっていると判定したときには、その電話番号の情報を発着呼制御部３２へ渡す。このときの発着呼制御部３２は、ステップＳ３の処理として、上記入力された電話番号の端末へ向けてそのまま通常の発呼制御を行う。
【００２５】
一方、上記入力された電話番号が前回通話時の電話番号と同じであると番号判定部３３にて判定されると、正常終了判定部３１は、ステップＳ４の処理として、前回の通話が、例えばユーザによる通話終了ボタンの押下操作等によって基地局との間で切断処理が行われることによる正常な終了であったか否かを判定する。そして、正常終了判定部３１にて前回の通話が正常終了であったと判定された場合、当該携帯電話端末のＣＰＵ１３は、ステップＳ５以降の処理に進む。これに対し、正常終了判定部３１にて前回の通話が正常終了ではないと判定されたとき、つまり、圏外に入ってしまう等の何らかの原因によって前回の通話が異常終了した場合は、当該携帯電話端末のＣＰＵ１３は、ステップＳ１３以降の処理に進む。
【００２６】
ＣＰＵ１３での処理がステップＳ１３に進むと、端末状態判定部３４は、当該携帯電話端末が待受け状態等の通話可能状態となっているか否か判定する。当該端末状態判定部３４は、携帯電話端末が通話可能状態でないと判定したとき、つまり、異常状態のような通話不可能な状態であるときには、通話可能な状態になるまでステップＳ１３の判定処理を繰り返す。一方、携帯電話端末が通話可能状態になったと端末状態判定部３４にて判定された場合、ＣＰＵ１３の処理はステップＳ１４へ進む。
【００２７】
ＣＰＵ１３での処理がステップＳ１４に進むと、発着呼制御部３２は、上記ステップＳ１で入力された電話番号の端末へ向けた発呼を行う。そして、発着呼制御部３２は、ステップＳ１５の処理として、呼が確立して通話状態になったか否か判定する。なお、ステップＳ１４とステップＳ１５の処理は、例えば操作部１４上に設けられている所定のキャンセルボタンがユーザにより押されるまで繰り返される。キャンセルボタンが押された場合は、携帯電話端末のＣＰＵ１３は、この図２のフローチャートの処理を終了する。
【００２８】
発着呼制御部３２にて通話状態になったと判定された場合、当該携帯電話端末のＣＰＵ１３は、ステップＳ１１へ処理を進める。ステップＳ１１の処理へ進むと、制御・演算部３６は、例えば、ＬＥＤ１７を点滅発光させたり、バイブレータ１６を振動させたり、着信音用スピーカ１９から所定の音を出力させたりすることで、当該携帯電話端末のユーザに対して、通話可能になったことを知らせる。なお、当該通話可能になったことをユーザに知らせための報知手段として、上記ＬＥＤ１７、バイブレータ１６、着信音用スピーカ１９の何れを使用するか、或いは、それらのうちの何れを組み合わせて使用するのか、さらには、使用される報知手段での報知のパターン、すなわち例えばＬＥＤ１７の点滅パターンや発光色、バイブレータ１６の振動パターン、着信音用スピーカ１９から出力される音のパターン（単なる音だけでなく、音楽や音声も含む）は、ユーザにより任意に選択・設定可能である。上記使用される報知手段や報知のパターンについての選択・設定情報は、メモリ１８に記憶される。そして、当該メモリ１８内の選択・設定情報に応じて、ＣＰＵ１３の制御・演算部３６が各報知手段を制御することにより、上記ステップＳ１１の処理が実行される。
【００２９】
その後、ステップＳ１２にて当該携帯電話端末は通話状態となる。これによりユーザ間の通話が行われることになる。
【００３０】
すなわち、上述のステップＳ１から当該ステップＳ１５までのルートを通り、更にステップＳ１１からステップＳ１２の処理に進む経路によれば、当該携帯電話端末は、前回の通話と同じ電話番号の入力がなされ且つ前回の通話が異常終了であった場合、当該異常終了の状態（異常状態）から通話可能な状態（待受け状態）に遷移した後に、上記入力された電話番号（前回の通話と同じ電話番号）の端末への発呼を、通話状態になるか又はキャンセルボタンが押されるまで繰り返すことになる。
【００３１】
これに対し、上記ステップＳ４において、前回の通話が正常終了であったと上記正常終了判定部３１にて判定されてステップＳ５の処理に進むと、時間計測部３５は、タイマ１５からの時間情報を元に、ステップＳ１での通話ボタンのオン操作が、前回の通話から所定の第１の設定値Ｃの時間内に行われたか否かを判定する。なお、上記第１の設定値Ｃは、時間を表す値であり、必要に応じてユーザが設定した時間や、デフォルトで設定されている時間の何れであっても良い。特に、本実施の形態の携帯電話端末は、上記第１の設定値Ｃの時間をユーザにより任意に設定可能となされており、当該ユーザによる第１の設定値Ｃのデータは例えばメモリ１８に登録される。このように、第１の設定値Ｃを自由に変更可能とすることで、ユーザは自分の好みの時間を設定できる。
【００３２】
そして、上記時間計測部３５にて第１の設定値Ｃの時間内でないと判定された場合、つまり、前回の通話から第１の設定値Ｃの時間を超えた後に、ステップＳ１での通話ボタンのオン操作が行われた場合、発着呼制御部３２は、ステップＳ６の処理として、上記入力された電話番号（前回の通話時と同じ電話番号）の端末へ向けてそのまま通常発呼処理を行う。一方、時間計測部３５にて第１の設定値Ｃの時間内であると判定された場合、当該携帯電話端末のＣＰＵ１３は、ステップＳ７へ処理を進める。
【００３３】
ＣＰＵ１３での処理がステップＳ７に進むと、制御・演算部３６は、時間計測部３５と連携し、所定の第２の設定値Ｄの時間だけ端末の状態を待受け状態にする。なお、当該第２の設定値Ｄは、上記第１の設定値Ｃの場合と同様に、必要に応じてユーザが設定した時間やデフォルトで設定されている時間の何れであっても良い。上記第２の設定値Ｄの時間の待受け状態のとき、発着呼制御部３２は、ステップＳ８として、着呼が有るか否か観察する。そして、着呼が有った場合、当該携帯電話端末のＣＰＵ１３は、ステップＳ１１以降へ処理を進める。
【００３４】
一方、ステップＳ７，Ｓ８の判定処理において、上記第２の設定値Ｄの待受け時間内に着呼が無いと判定された場合、発着呼制御部３２は、ステップＳ９の処理として、上記入力された電話番号（前回の通話時と同じ電話番号）の端末へ向けて発呼処理を行う。またこのとき、端末状態判定部３４は、ステップＳ１０の処理として、当該携帯電話端末の状態が通話状態になったか否か判定する。そして、ステップＳ１０の判定処理において通話状態になっていないと判定された場合、当該携帯電話端末のＣＰＵ１３の処理はステップＳ７へ戻る。すなわち、ステップＳ７からステップＳ１０までの処理と当該ステップＳ１０からステップＳ７へのリターン処理は、第２の設定値Ｄの時間内に着呼が無く且つ、発呼を行っても通話状態にならない間だけ繰り返される。また、ステップＳ７〜ステップＳ１０の処理は、操作部１４上に設けられているキャンセルボタンがユーザにより押されるまで繰り返される。キャンセルボタンが押された場合は、携帯電話端末のＣＰＵ１３は、この図２のフローチャートの処理を終了する。
【００３５】
そして、上記ステップＳ１０にて通話状態になったと判定された場合、当該携帯電話端末のＣＰＵ１３は、ステップＳ１１以降へ処理を進める。
【００３６】
すなわち、上記ステップＳ１から当該ステップＳ１０へのルートを通り、更にステップＳ１１からステップＳ１２の処理に進む経路によれば、当該携帯電話端末は、前回の通話と同じ電話番号の入力がなされ且つ前回の通話が正常終了であった場合、前回の通話終了時点から第１の設定値Ｃの時間内に、上記入力された電話番号（前回の通話と同じ電話番号）の端末への発呼を行うべき指示がユーザによりなされたときには、直ぐにその発呼を行うのではなく、上記第２の設定値Ｄの時間だけ当該端末を待受け状態にすると共に、その待受け状態の間に別の着呼が無ければ上記第２の設定値Ｄの時間終了後に上記入力された電話番号の端末への実際の発呼を行い、そしてその発呼で通話状態になれなかった時には更に第２の設定値Ｄの待受け状態にするステップＳ７まで処理を戻すことを繰り返すことになる。また、本実施の形態によれば、第１の設定値Ｃの時間を設定することで、例えば、通話が終了してから長い時間が経過した後に、前回の通話と同じ電話番号の端末への発呼指示がなされたとしても、図２のステップＳ７以降の処理へ進んでしまうことを防止できる。
【００３７】
以下、上記図２のフローチャートを参照しつつ、図３〜図５の各図を用いて本実施の形態の携帯電話端末の具体的な動作例を説明する。
【００３８】
図３は、双方とも本発明にかかる機能を備えた携帯電話端末１Ａ，１Ｂ間での通話中に何らかの異常により通話が切断された後、通話が再開されることになるまでの間のタイムアローを示している。なお、図３は、携帯電話端末１Ｂ側に異常が発生して通話途中で回線が切断された例を挙げている。
【００３９】
図３において、ステップＳ２０の通話中、二つの携帯電話端末１Ａ，１Ｂの状態は、それぞれ通話状態３１ａ，３１ｂになっている。ここで、ステップＳ２１において携帯電話端末１Ｂが例えば圏外に入るなどして異常終了すると、当該携帯電話端末１Ｂの状態は、通話状態３１ｂから異常状態３２ｂに遷移する。一方、このときの携帯電話端末１Ａと基地局２Ａとの間では、ステップＳ２２として、回線の切断要求の送受信と回線の切断処理とが行われる。そして、当該回線の切断がなされると、携帯電話端末１Ａの状態は、上記通話状態３１ａから待受け状態３２ａに遷移する。
【００４０】
次に、ステップＳ２３，Ｓ２４にて、携帯電話端末１Ａ，１Ｂの両ユーザが、互いに通話を再開しようとして略々同時に通話ボタンを押したとする。このとき、本発明にかかる携帯電話端末１Ａ，１Ｂは、共に図２のステップＳ１〜Ｓ４で説明したように、入力された電話番号が前回通話時の電話番号か否か判定し、同じであると判定したときには更に上記前回の通話が正常終了であったか否か判定する。
【００４１】
ここで、携帯電話端末１Ａは、前回の通話が正常終了であったと判定することになるため、図２のステップＳ５以降の処理へ進む。一方、携帯電話端末１Ｂは、前回の通話が異常終了であったため図２のステップＳ１３以降の処理へ進むことになる。
【００４２】
したがって、携帯電話端末１Ｂは、図２のステップＳ１３にて、異常状態３２ｂから通話可能な待受け状態３３ｂになるまで待ち、待受け状態３３ｂになることで図２のステップＳ１３にて通話可能状態であると判定すると、図２のステップＳ１４の発呼を行い、図３のステップＳ２５のように基地局２Ｂへ呼確立要求を送る。またこの時の携帯電話端末１Ｂは、上記待受け状態３３ｂから非定常状態３４ｂへ遷移する。
【００４３】
一方、図２のステップＳ５以降の処理へ進んだ携帯電話端末１Ａは、前記第１の設定値Ｃの時間内の発呼であると判定した場合には、更に図２のステップＳ６にて第２の設定値Ｄの時間の待機状態（待受け状態３２ａ）となる。そして、この待受け状態３２ａの間に、図３のステップＳ２５の呼確立要求に対応して、ステップＳ２６で基地局２Ａから呼確立要求が送られてくると、携帯電話端末１Ａは図２のステップＳ８で着呼有りと判定して呼処理状態３３ａに遷移し、図３のステップＳ２７の呼処理を経て、図２のステップＳ１１以降へ進むことになる。
【００４４】
また、上記携帯電話端末１ＡでステップＳ２７の呼処理中の携帯電話端末１Ｂは、基地局２Ｂとの間でステップＳ２８のような呼処理が行われる。これにより、当該携帯電話端末１Ｂは、非定常状態３４ｂから呼処理状態３５ｂへ遷移する。
【００４５】
そしてその後、呼処理が完了すると、携帯電話端末１Ａ，１Ｂは、図２のステップＳ１１以降へ進み、図３のステップＳ２９にて共に通話状態３４ａ，３６ｂに遷移する。
【００４６】
なお、図３の例では、携帯電話端末１Ｂ側において異常状態３２ｂから待受け状態３３ｂへ遷移するまでの時間が、上記携帯電話端末１Ａ側における第２の設定値Ｄの待受け状態３２ａでの待機時間よりも短い例を挙げている。したがって、この図３の例では、携帯電話端末１Ｂ側からの呼確立要求の方が先になっているが、例えば、携帯電話端末１Ｂにおける異常状態３２ｂの継続時間が、上記携帯電話端末１Ａの上記第２の設定値Ｄによる待機時間よりも長かった場合には、当該携帯電話端末１Ａからの呼確立要求が先になる。
【００４７】
図４は、携帯電話端末１Ａが本発明にかかる機能を備え、携帯電話端末１０１Ｂが本発明にかかる機能を備えていないものであり、これら携帯電話端末１Ａ，１０１Ｂ間での通話中に何らかの異常により通話が切断された後、通話が再開されることになるまでの間のタイムアローを示している。なお、図４は、携帯電話端末１０１Ｂ側に異常が発生して通話途中で回線が切断された例を挙げている。
【００４８】
図４において、ステップＳ３０の通話中、二つの携帯電話端末１Ａ，１０１Ｂの状態は、それぞれ通話状態４１ａ，４１ｂになっている。ここで、ステップＳ３１において携帯電話端末１０１Ｂが異常終了すると、当該携帯電話端末１０１Ｂの状態は、通話状態４１ｂから異常状態４２ｂに遷移する。一方、このときの携帯電話端末１Ａと基地局２Ａとの間では、ステップＳ３２として、回線の切断要求の送受信と回線の切断処理とが行われる。そして、当該回線の切断がなされると、携帯電話端末１Ａの状態は、通話状態４１ａから待受け状態４２ａに遷移する。
【００４９】
なお、本発明にかかる機能を備えていない携帯電話端末１０１Ｂは異常状態４２ｂとなっているため、ユーザは、待受け状態４３ｂに遷移した後でなければ通話ボタンのオンによる発呼指示を行えないことになる。したがって、当該携帯電話端末１０１Ｂのユーザが通話を再開しようとして通話ボタンをオンするのは、ステップＳ３４のように上記待受け状態４３ｂになった時となる。
【００５０】
一方、本発明にかかる機能を備えている携帯電話端末１Ａ側はステップＳ３２の切断処理の後は直ぐに待受け状態４２ａになっているため、ユーザは、ステップＳ３３のように、直ぐに通話を再開しようとして携帯電話端末１０１Ｂへの発呼を指示するための通話ボタンのオン操作を行うことができる。このときの携帯電話端末１Ａは、図３で説明したのと同様に、入力された電話番号が前回通話時の電話番号か否か判定し、同じであると判定したときには更に上記前回の通話が正常終了であったか否か判定する。そして、この場合の携帯電話端末１Ａは、前回の通話が正常終了であったと判定することになるため、図２のステップＳ５以降の処理へ進む。図２のステップＳ５以降の処理へ進んだ携帯電話端末１Ａは、前記第１の設定値Ｃの時間内の発呼であると判定した場合には、更に図２のステップＳ６にて待受け状態４２ａの時間について第２の設定値Ｄの時間を設定する。
【００５１】
そして、この第２の設定値Ｄの待受け状態４２ａの間に、当該携帯電話端末１Ａに対して携帯電話端末１０１Ｂ側からの着呼があれば、これら携帯電話端末１Ａと１０１Ｂとの間の通話が可能になる。
【００５２】
但し、図４は、携帯電話端末１Ａが上記第２の設定値Ｄの時間経過後にステップＳ３５にて呼確立要求を送信したタイミングと、携帯電話端末１０１Ｂが異常状態４２ｂから待受け状態４３ｂへ遷移してステップＳ３４での発呼に対応したステップＳ３６の呼確立要求の送信のタイミングとが略々同時であったとした例を挙げている。この場合、それら携帯電話端末１Ａ，１０１Ｂは、略々同時に非定常状態４３ａ，４４ｂに遷移する。したがって、ステップＳ３７，Ｓ３８のように、基地局２Ａ，２Ｂは、それら非定常状態４３ａ，４４ｂとなっている携帯電話端末１Ａ，１０１Ｂに対する発呼はそれぞれ行わないことになる。また、この図４では、ステップＳ３４の発呼で呼が確立しなかった後、携帯電話端末１０１Ｂ側のユーザが再度の発呼を行わなかった例を挙げている。
【００５３】
この時、本発明にかかる機能を有する携帯電話端末１Ａは、ステップＳ３５での呼確立要求の送信後、呼が確立しなかった場合、上記非定常状態４３ａから待受け状態４４ａへ遷移し、再度図２のステップＳ７にて待受け状態４４ａの時間を第２の設定値Ｄの時間にする。そして、携帯電話端末１Ａは、当該待受け状態４４ａの間に携帯電話端末１０１Ｂ側からの着呼が無ければ、上記第２の設定値Ｄの時間経過後にステップＳ３９にて再度呼確立要求を送信する。これにより、当該携帯電話端末１Ａは、上記待受け状態４４ａから非定常状態４５ａへ遷移する。その後、携帯電話端末１Ａと基地局２Ａとの間では、ステップＳ４１にて呼処理が行われ、これにより携帯電話端末１Ａは呼処理状態４６ａに遷移する。
【００５４】
また上記ステップＳ３９の呼確立要求の処理がなされると、基地局２Ｂからは、ステップＳ４０にて呼確立要求が携帯電話端末１０１Ｂへ送られる。これにより、当該携帯電話端末１０１Ｂは待受け状態４５ｂから呼処理状態４６ｂへ遷移し、さらに携帯電話端末１０１Ｂと基地局２Ｂとの間ではステップＳ４２のように呼処理が行われる。
【００５５】
その後、呼処理が完了すると、携帯電話端末１Ａ，１０１Ｂは、ステップＳ４３にて共に通話状態４７ａ，４７ｂに遷移し、通話が可能となる。
【００５６】
図５は、携帯電話端末１０１Ａが本発明にかかる機能を備えておらず、携帯電話端末１Ｂが本発明にかかる機能を備えており、これら携帯電話端末１０１Ａ，１Ｂ間での通話中に何らかの異常により通話が切断された後、通話が再開されることになるまでの間のタイムアローを示している。なお、図５は、携帯電話端末１Ｂ側に異常が発生して通話途中で回線が切断された例を挙げている。
【００５７】
図５において、ステップＳ５０の通話中、二つの携帯電話端末１０１Ａ，１Ｂの状態は、それぞれ通話状態５１ａ，５１ｂになっている。ここで、ステップＳ５１において携帯電話端末１Ｂが異常終了すると、当該携帯電話端末１Ｂの状態は、通話状態５１ｂから異常状態５２ｂに遷移する。一方、このときの携帯電話端末１０１Ａと基地局２Ａとの間では、ステップＳ５２として、回線の切断要求の送受信と回線の切断処理とが行われる。そして、当該回線の切断がなされると、携帯電話端末１０１Ａの状態は、通話状態５１ａから待受け状態５２ａに遷移する。
【００５８】
次に、ステップＳ５３，Ｓ５４にて、携帯電話端末１０１Ａ，１Ｂの両ユーザが、互いに通話を再開しようとして略々同時に通話ボタンを押したとする。このとき、本発明にかかる機能を備えた携帯電話端末１Ｂは、図２のステップＳ１〜Ｓ４で説明したように、入力された電話番号が前回通話時の電話番号か否か判定し、同じであると判定したときには更に上記前回の通話が正常終了であったか否か判定する。
【００５９】
ここで、携帯電話端末１Ｂは、前回の通話が異常終了であったと判定することになるため、図２のステップＳ１３以降の処理へ進むことになる。したがって、携帯電話端末１Ｂは、図２のステップＳ１３にて、異常状態５２ｂから通話可能な待受け状態５３ｂになるまで待ち、待受け状態５３ｂになることで図２のステップＳ１３にて通話可能状態であると判定すると、図２のステップＳ１４の発呼を行い、図５のステップＳ５９のように基地局２Ｂへ呼確立要求を送る。またこの時の携帯電話端末１Ｂは、上記待受け状態５３ｂから非定常状態５４ｂへ遷移する。
【００６０】
一方、本発明にかかる機能を備えていない携帯電話端末１０１Ａ側は、ステップＳ５２の切断処理の後は直ぐに待受け状態５２ａになっている。このため、携帯電話端末１０１Ａのユーザは、ステップＳ５３のように、直ぐに通話を再開しようとして携帯電話端末１Ｂへの発呼を指示するための通話ボタンのオン操作を行うことになる。これにより、携帯電話端末１０１Ａは、ステップＳ５５のように、基地局２Ａに呼確立要求を送ると共に、非定常状態５３ａに遷移する。しかしながらこのとき、携帯電話端末１Ｂは未だ異常状態であるため、基地局２ＡからはステップＳ５６のように携帯電話端末１Ｂが通話不可能である旨のメッセージが携帯電話端末１０１Ａへ送られることになる。
【００６１】
ここで上記携帯電話端末１０１Ａが待受け状態５４ａに戻った後、ステップＳ５７のように、ユーザが再度の発呼を試みるとする。このとき、携帯電話端末１０１Ａは非定常状態５５ａに遷移すると共に、ステップＳ５８のように基地局２Ａへ呼確立要求を再度送信することになる。
【００６２】
但し、図５の例は、携帯電話端末１Ｂが異常状態５２ｂから待受け状態５３ｂへ遷移した後にステップＳ５９にて行った呼確立要求の送信タイミングと、携帯電話端末１０１ＡがステップＳ５８にて行った呼確立要求の送信タイミングとが、略々同時であったとした例を挙げている。この場合、それら携帯電話端末１０１Ａ，１Ｂは、略々同時に非定常状態５５ａ，５４ｂに遷移する。したがって、ステップＳ６０，Ｓ６１のように、基地局２Ａ，２Ｂは、それら非定常状態５５ａ，５４ｂとなっている携帯電話端末１０１Ａ，１Ｂに対してそれぞれ発呼は行わないことになる。
【００６３】
この時、本発明にかかる機能を有する携帯電話端末１Ｂは、非定常状態５４ｂから待受け状態５５ｂへ遷移すると、ステップＳ６２のように再度呼確立要求を基地局２Ｂへ送信することになる。これにより、当該携帯電話端末１Ｂは、上記待受け状態５５ｂから非定常状態５６ｂへ遷移する。そして、携帯電話端末１Ｂと基地局２Ｂとの間ではステップＳ６５のように呼処理が行われ、携帯電話端末１Ｂは呼処理状態５７ｂに遷移する。
【００６４】
またこの時、基地局２Ａからは、ステップＳ６３にて呼確立要求が携帯電話端末１０１Ａへ送られる。これにより、当該携帯電話端末１０１Ａは待受け状態５６ａから呼処理状態５７ａへ遷移し、さらに携帯電話端末１０１Ａと基地局２Ａとの間ではステップＳ６４のように呼処理が行われる。
【００６５】
その後、呼処理が完了すると、携帯電話端末１０１Ａ，１Ｂは、ステップＳ６６にて共に通話状態５８ａ，５８ｂに遷移し、通話が可能となる。
【００６６】
以上説明したように、本発明実施の形態によれば、二つの携帯電話端末が通話中に何れかの端末が異常終了した後、それら二つの携帯電話端末からお互いが略々同時に発呼した場合、本発明にかかる機能を有する携帯電話端末は、前回の通話時の電話番号と今回新たに入力された電話番号とを比較し、それら電話番号が同じであるときには更に通話終了が正常終了であったか否か判断し、異常終了であったときには異常状態から待受け状態へ遷移した後に発呼を行い、一方、正常終了であったときには前回の通話終了時から今回の発呼までの間の経過時間と第１の設定値Ｃとを比較し、当該第１の設定値Ｃの時間以内の発呼であるときにはさらに第２の設定値Ｄの時間だけ待機した後に発呼を行う機能を備えている。すなわち本発明実施の形態の携帯電話端末によれば、二つの携帯電話端末間の通話が何らかの原因により異常終了した後、それら各端末から互いに略々同時に発呼がなされた場合、正常終了した携帯電話端末は、第１の設定値Ｃの時間以内の発呼であれば、通話が再開されるようになるまで、第２の設定値Ｄの時間間隔毎に相手方への発呼を繰り返す処理を実行することで、ユーザは一度の発呼指示操作のみで通話を再開することが可能になると共に、第２の設定値Ｄの間は端末を待受け状態にすることで相手方からの呼確立要求を受け付け可能としている。また、本実施の形態の携帯電話端末によれば、異常終了した携帯電話端末は、異常状態から待受け状態に遷移した後直ちに呼確立要求を送信する処理を実行することで、最短の時間で通話を再開することが可能となる。
【００６７】
さらに、本発明実施の形態によれば、二つの携帯電話端末の両方が本発明のかかる機能を備えている場合のみならず、何れか一方が従来同様の機能しか備えていない場合であっても、本発明にかかる機能を備えた携帯電話端末は一度の操作で再び通話を確立することが可能である。さらに、本発明実施の形態によれば、携帯電話端末側に、本発明にかかる機能を実現するためのソフトウェア或いはハードウェアを実装することのみで良いため、既存の携帯通信網などのインフラストラクチャに手を加えるような高コスト且つ大規模な工事を行う必要がない。
【００６８】
またさらに、本発明にかかる機能を備えた携帯電話端末は、上述した自動的な呼確立要求の送信処理後に、呼処理がなされて通話状態に遷移した場合、その旨を例えばＬＥＤ１７やバイブレータ１６，着信音用スピーカ１９等の報知手段を用いてユーザへ知らせる処理を実行している。これにより、ユーザは、例えば通話音声用スピーカ２１に常に耳を近づけておくことなく、通話が再開されたことを認識することが可能となる。
【００６９】
なお、上述した実施の形態の説明は、本発明の一例である。このため、本発明は上述した実施の形態に限定されることなく、本発明に係る技術的思想を逸脱しない範囲であれば、設計等に応じて種々の変更が可能であることはもちろんである。すなわち、本発明の通信端末は、携帯電話端末だけでなく、例えば固定電話端末において通話中に誤って通話終了ボタンを押してしまい、その直後に同じ相手先端末へ再発呼を行うような場合にも適用可能である。また、本発明の通信端末は、通信機能を備えたカーナビゲーション装置等の移動体端末やＰＤＡ装置（ＰＤＡ：Ｐｅｒｓｏｎａｌ  Ｄｉｇｉｔａｌ  Ａｓｓｉｓｔａｎｔｓ）等であっても良い。
【００７０】
【発明の効果】
本発明においては、通信切断後から所定の設定時間の計測を開始し、新たに相手先特定情報を伴った発信指示の入力を受け付けた時、その入力された相手先特定情報と通信切断時の相手先特定情報とが同一であるならば、所定の設定時間の経過後にその相手先特定情報に応じた相手先通信装置への通信接続要求を発信することにより、既存の携帯通信網などのインフラストラクチャに手を加えるような高コスト且つ大規模な工事を行うことなく、迅速且つ確実に通信の再開が可能となる。
【図面の簡単な説明】
【図１】本発明実施の形態の携帯電話端末の主要部の概略構成を示すブロック図である。
【図２】本発明実施の形態の携帯電話端末のＣＰＵにより行われる処理のフローチャートである。
【図３】双方とも本発明にかかる機能を備えた二つの携帯電話端末の場合の、通話切断から通話の再開までのタイムフローチャートである。
【図４】正常終了側が本発明にかかる機能を備えた携帯電話端末で、異常終了側が従来同様の携帯電話端末である場合の、通話切断から通話再開までのタイムフローチャートである。
【図５】正常終了側が従来同様の携帯電話端末で、異常終了側が本発明にかかる機能を備えた携帯電話端末である場合の、通話切断から通話再開までのタイムフローチャートである。
【図６】双方とも従来同様の二つの携帯電話端末の場合の、通話切断から通話の再開までのタイムフローチャートである。
【符号の説明】
１Ａ，１Ｂ…携帯電話端末、２Ａ，２Ｂ…基地局、１１…アンテナ、１２…送受信処理回路、１３…ＣＰＵ、１４…操作部、１５…タイマ、１６…バイブレータ、１７…ＬＥＤ、１８…メモリ、１９…着信音用スピーカ、２０…マイクロホン、２１…通話音声用スピーカ、２２…ディスプレイ、３１…正常終了判定部、３２…発着呼制御部、３３…番号判定部、３４…端末状態判定部、３５…時間計測部、３６…制御・演算部
【図１】
2004247806.tif 000003
【図２】
2004247806.tif 000004
【図３】
2004247806.tif 000005
【図４】
2004247806.tif 000006
【図５】
2004247806.tif 000007
【図６】
2004247806.tif 000008